(57)【要約】  本発明は、カプセル（１８）を形成する充填可能な密封キャップ（１）に関するものであり、カプセル（１８）は、底部に開いており、その内部で密封ワッシャー（３）によって密封することができる。カプセル蓋（６）を押し下げてカプセル蓋を変形させるための中央押しボタン（２）が、カプセル蓋（６）の外側に形成されている。軸方向下向きに突出した中央スタンプ（７）が、押しボタン（２）の下のカプセル（１８）の内側に形成されている。密封回転軸（２１）に対して鋭角で下向きおよび外向きに突出する少なくとも３つの広がり脚（８）が、スタンプの周りに分布して形成されている。カプセル蓋（６）は、スタンプ（７）の周りに半径方向に波形であり、前記カプセル蓋（６）は、その半径の第１の内部領域（１０）において、第２の外側領域（１１）よりも薄い壁厚を有する。押しボタン（２）を上から押すと、蓋の壁が２段階に曲がる。スタンプ（７）は密封ワッシャー（３）を押し、最初に密封ワッシャーに張力をかけ、次に広がり脚（８）の端部（２６）が外側にスライドし、密封ワッシャー（３）をその円周上で下向きに押す間に密封ワッシャーを開き、次に、密封ワッシャーを下向きに旋回させながら保持する。【選択図】図１
2022501278.tif 000002
【特許請求の範囲】
【請求項１】
容器のねじ付きコネクタにねじ込み可能または取り付け可能な充填可能な密封キャップ（１）であって、カプセル（４）を空にするための押しボタン（２）を有し、このカプセルは前記押しボタン（２）の下に形成され、底部が開いており、密封ワッシャー（３）で密閉可能であり、この密封キャップ（１）を備えた容器に落下し得る物質を受け入れるための、円周方向のカプセル壁（５）およびカプセル蓋（６）を有し、前記カプセル蓋（６）の外側に、前記カプセル蓋（６）を変形させながら押し下げるための中央押しボタン（２）が形成され、中央の軸方向下向きに突出するスタンプ（７）が前記押しボタン（２）の下の前記カプセル（１８）の内側に形成されていること、回転のクロージャ軸（２１）に対して下向きおよび外向きに旋回することができる少なくとも２つの広がり脚（８）がこのスタンプ（７）の周囲に形成され、それらの端部領域を介して足（２６）のように弾性的に曲げられるように先細になること、さらに、前記カプセル蓋（６）は、半径方向から見たときに前記スタンプ（７）の周りに波形になるように設計されており、このカプセル蓋（６）は、第２の、外側の波形領域（１１）よりも薄い壁厚で、その半径の第１の、内側の波形領域（１０）に設計されており、これにより、上から前記押しボタン（２）を押すことにより前記蓋の壁を２段階で曲げることができること、前記内側の蓋領域（１０）は、前記スタンプ（７）が圧力点（２３）で前記密封ワッシャー（３）に圧力を加え、それによって前記密封ワッシャーをプレテンションし、前記広がり脚（８）が前記密封ワッシャー（３）に接触するまで前記押しボタン（２）を軸方向に押すことによって最初に屈曲可能であること、その後、前記スタンプ（７）が前記密封ワッシャー（３）を破裂させ、結果として生じる緩い密封ワッシャーセグメントを下向きに旋回させて、したがって前記カプセル（４）の開口部が露出するようにする間、前記押しボタン（２）したがって前記広がり脚（８）の端部領域をさらに押すことによって、前記外側の波形領域（１１）を曲げることができることを特徴とする、密封キャップ（１）。
【請求項２】
前記スタンプ（７）は断面が星形であり、半径方向に突出する翼（２７）を形成し、それにより２次元の端部を形成し、これはボトルの内容物のガス放出によって下から押し付けられる密封ワッシャー（３）のサポートとして機能することを目的としており、これにより、この密封ワッシャー（３）はプラスチックディスクであり、その全範囲にわたってバリアコーティング（３６）が施されており、前記プラスチックディスクでは、少なくとも１つの直径切れ目（２９）および中央でこの切れ目（２９）の端部に隣接して、それによりそれぞれが両端の間のヒンジとして材料ブリッジ（３２、３３）を残す少なくとも２つの弧状切れ目（３０、３１）が、それ以外の点では自由な２つの半円セグメント（３４、３５）を形成し、このセグメントは、その下側の前記コーティング（３６）を破裂させた後、前記スタンプ（７）からの上からの圧力によって前記材料ブリッジ（３２、３３）の回りでヒンジのように旋回することができることを特徴とする、請求項１に記載の、容器のねじ付きコネクタにねじ込み可能または取り付け可能な充填可能な密封キャップ（１）。
【請求項３】
前記広がり脚（８）は前記密封ワッシャー（３）に接触し、前記押しボタン（２）を押すと、前記広がり脚（８）の端部領域（２６）は、弾性的に外側に曲がり、前記密封ワッシャー（３）上で半径方向外側に前記切れ目（３０、３１）の近くにスライドし、そこで剪断効果と破裂を生成し、その端部（２６）は、前記スタンプ（７）が前記密封ワッシャー（３）を破裂させる間、結果として生じる緩い密封ワッシャーセグメントを下向きに旋回させて、前記カプセル（４）の開口部が露出するようにすることを特徴とする、請求項１に記載の、容器のねじ付きコネクタにねじ込み可能または取り付け可能な充填可能な密封キャップ（１）。
【請求項４】
前記カプセル蓋（６）は、半径方向から見た場合、前記スタンプ（７）の周りに波形になるように設計されており、その半径の前記第１の内側領域（１０）の前記カプセル蓋（６）は、少なくとも１つの波トラフ（１２）および１つの波頂部（１３）を備えたより薄い壁厚を有する波形を形成し、次に、より厚い壁厚を有するその半径の領域（１１）もまた、少なくとも１つの波トラフ（４）と１つの波頂部（５）を有する波形を形成し、それにより、前記押しボタン（２）を上から押して前記押しボタン（２）を軸方向に下に動かして前記カプセルの蓋（６）を２段階に曲げることができることを特徴とする、請求項１から３のいずれか一項に記載の、容器のねじ付きコネクタにねじ込み可能または取り付け可能な充填可能な密封キャップ（１）。
【請求項５】
前記カプセル蓋（６）は、前記半径方向から見た場合、前記スタンプ（７）の周りに波形になるように設計されており、その半径の前記第１の内側領域（１０）の前記カプセル蓋（６）は、前記外側領域（１１）よりも薄い壁厚で設計され、このカプセルカバー（６）は、前記半径方向から見た場合、前記押しボタン（２）上に波トラフ（１２）、次に波頂部（１３）を形成し、そして前記第２の領域（１１）は波トラフ（４）、そして波頂部（５）を形成し、これはさらに大きな寸法のカプセル壁（２５）に移されることを特徴とする、請求項１から４のいずれか一項に記載の、容器のねじ付きコネクタにねじ込み可能または取り付け可能な充填可能な密封キャップ（１）。
【請求項６】
前記カプセル蓋（６）の前記押しボタン（２）は、前記中央スタンプ（７）が内側にあり、底部が円錐形に広がっている転覆カップ（９）のように形成され、前記広がり脚（８）は、前記カップ壁（９）のくぼみ（１５）によって生成および形成されることを特徴とする、請求項１または３から５のいずれか一項に記載の、容器のねじ付きコネクタにねじ込み可能または取り付け可能な充填可能な密封キャップ（１）。
【請求項７】
前記押しボタン（２）はその外側の上側に凹状のプッシャー表面（２４）を形成し、前記押しボタン（２）を押す指のセンタリングおよび軸方向誘導のために、鋭角に先細になる円周方向上向きの縁部（１４）を備えることを特徴とする、請求項１から６のいずれか一項に記載の、容器のねじ付きコネクタにねじ込み可能または取り付け可能な充填可能な密封キャップ（１）。
【請求項８】
前記密封ワッシャー（３）は、細かい点または切れ目（３０、３１）の形で前記円周の周りに分布する３つの放射状および弧状の弱化線（３９）によって３つのセグメント（２２）に分割され、３つの広がり脚（８）はそれぞれ、前記押しボタン（２）とスタンプ（７）が、前記密封ワッシャー（３）の前記縁部に圧力点（２３）として形成されたこの円セグメントの領域付近で押し下げられたときに、各円セグメントの円周の中央に当たってこれを旋回させるように意図されていることを特徴とする、請求項１または３から６のいずれか一項に記載の、容器のねじ付きコネクタにねじ込み可能または取り付け可能な充填可能な密封キャップ（１）。
【請求項９】
前記密封ワッシャー（３）は、それぞれ細かい点または切れ目の形で前記円周の周りに分布する４つの弧状の弱化線（３９）および４つの放射状の弱化線（２９）によって４つのセグメント（２２）に分割され、４つの広がり脚（８）はそれぞれ、前記押しボタン（２）とスタンプ（７）が、これらの円セグメント（２２）の前記密封ワッシャー（３）の前記縁部で圧力点（２３）として作用する４つの領域付近で押し下げられたときに、各円セグメントの中央に当たってこれを旋回させるように意図されていることを特徴とする、請求項１および３から６のいずれか一項に記載の、容器のねじ付きコネクタにねじ込み可能または取り付け可能な充填可能な密封キャップ（１）。
【請求項１０】
前記広がり脚（８）はそれらの端部（２６）で広げられ、その結果、引き裂かれた前記密封ワッシャー（３）の円セグメント（２２）は、前記カプセル（１８）を下の前記容器に完全に空けることができるように、下向きに旋回させた後、この開放位置に保持されることを特徴とする、請求項８から９のいずれか一項に記載の、容器のねじ付きコネクタにねじ込み可能または取り付け可能な充填可能な密封キャップ（１）。
【発明の詳細な説明】
【技術分野】
【０００１】
本発明は、内容物がカプセルから密封キャップを備えた容器に落下するように押しボタンを押すことによって開くことができる、内部にカプセルを形成する充填可能な密封キャップに関する。
【背景技術】
【０００２】
今日、多くの飲料は、濃縮物を水と混合することによってすでに製造されている。完成した混合物を販売する代わりに、ボトルフィラーが現場では水で満たされるだけで、消費者がボトルを最初に開くことではじめて濃縮物がボトル内で水に加えられ、水と濃縮物が混ざることができれば、はるかに効率的である。あらゆる種類の敏感な有効成分と光に敏感なビタミンも、そのようなクロージャによって計量することができる。
【０００３】
個別の液体を計量するための既知の解決策は、プラスチック製の計量クロージャとそれに関連する容器の容器ネックである。これは、ねじ付きキャップ、個別に充填して充填後にフィルムで密封するか、閉じることができる内部カプセル、および関連する容器ネックで構成されている。閉鎖フィルムを備えたカプセルは、容器ネックの内側で下方向に保持される。キャップを容器ネックにかぶせると、容器ネックの内側に突出して、容器ネックの下端には貫通して切断する装置があり、それによって、プラスチック製のクロージャを初めて開いたときにカプセルの下端の閉鎖フィルムが開くことができ、その結果、カプセルに含まれる物質が容器へと落下する。反時計回りに、すなわち緩める方向に回すとき、ねじ付きキャップは最初に容器ネックで下向きに動き、カプセルのフィルムが貫通および切断装置に押し付けられ、その結果、ねじ付きキャップが容器ネックで停止する間、切り開かれる。ねじ付きキャップをさらに緩める方向に回すと、容器ネックも一緒に回り、容器のノズルにねじが付いた状態になるが、このねじを緩めるには、より大きなトルクが必要である。ねじ付きキャップをさらに回転させると、容器ネックと空になったカプセルが一緒に動き、クロージャ全体が容器ノズルから外れる。この解決策の簡潔さは、単一のアクション、つまり、緩める方向にねじ付きキャップを１回だけ連続して緩めるだけで済むという事実にある。その後、すべてが自動的に順番に実行される。ただし、この解決策の欠点は、左ねじと右ねじが必要であり、クロージャの組み立てにも問題がないわけではないため、構造と設計が複雑になることである。
【０００４】
個別の液体を計量するためのさらに既知の解決策は、国際公開第２０１２／１７５３１７Ａ１号に示されているように、プラスチック製の計量クロージャとそれに関連する容器の容器ネックである。これは、解放用の押しボタンを備えた充填可能なクロージャであり、個別に充填されたカプセルで機能する。クロージャは、容器のねじ付きコネクタにねじ込むことができ、かつ前記別個に充填されたカプセルを閉じた状態で下から挿入することができる密封キャップからなり、カプセルは下向きの密封フィルムを有する。挿入されたカプセルの上面は変形可能であるように設計されており、カプセルの下向きの密封フィルムが破れたり裂けたりできるように、軸方向に下向きに押すことができる。この文献によれば、これは、密封キャップの下側に一体成形され、軸方向に下向きに突出し、挿入されたカプセルの変形可能な上側に配置され、かつこのプロファイルの断面に一致するくぼみに適合するプロファイルによってもたらされる。前記プロファイルをくぼみに押し下げることにより、プロファイルの外側の下部の角が、カプセルの密封フィルムに間接的に押し付けられる。密封フィルムには弱化線が設けられているので、これらの角は弱化線によって形成される円セグメントの角二等分線に衝突し、そして弱化線に沿って分割した後、同じものを角から下向きに回転させ、次に下向きに回転させて保持することができる。ただし、実際には、この解決策は原則として機能するが、すべてのケースで、つまり、ケースの１００％で問題なく機能するわけではないことがわかっている。したがって、この解決策は、数十万のクロージャを提供する必要があり、個々のクロージャが完全に機能する必要がある実際の実装には不十分である。炭酸飲料は特定の課題を提起する。飲料がガスを放出し、容器またはボトル内の圧力が上昇するため、ガスは、容器のクロージャに収容され、大気圧で密封された密封カプセルの密封フィルムを下から押す。次に、カプセル上部の内側に取り付けられ、カプセル上部と一緒に押し下げられて開くスタンプが、密封フィルムの中央のカプセル内にわずかな距離で置かれる場合、以下のリスクが存在する。容器またはボトル内の圧力により、密封フィルムが下からカプセルの方向に押し出され、上向きにアーチ状になる。すると密封フィルムがスタンプに当たる可能性があり、密封フォイルの意図しない引き裂きがその弱化線に沿って発生する可能性がある。このリスクを回避する必要がある。２０１４年９月２５日付けの米国特許出願公開第２０１４／２８４３３７Ａ１号（ＲＡＦＦＥＲＴＹ  ＳＩＭＯＮ  ＪＡＭＥＳ［英国］）から、スタンプ付きの密封キャップと密封フィルムとしての密封ワッシャーが知られているが、外側に回転可能な広がり脚はない。また、１９９８年９月２２日付けの米国特許５，８０９，７８６Ａ号（ＳＣＵＤＤＥＲ  ＪＡＭＥＳ  Ａ［米国］ら）は、図１および図５に示すように押しボタンおよび広がり脚を開示している。ただし、そこに示されている広がり脚の使用は、広がり脚とスタンプの組み合わせを推奨するものではなく、スタンプを置き換えることを目的としている。
【発明の概要】
【０００５】
本発明の目的は、上記の事実および示された先行技術を考慮して、内部に充填可能なカプセルが形成された充填可能なキャップを作成することであり、この密封キャップは、製造および組み立てがより容易であり、指で簡単にボタンを押すだけでカプセルを開けて内容物を空にすると、密封ワッシャーとして機能する密封フィルムが完全に開き、カプセルの内容物全体がこの密封キャップを備える容器に安全に落下することが確実にされるべきである。同時に、内部に充填可能なカプセルが形成された密封キャップは、飲料のガス放出や、ガス放出によるボトルの容器内の圧力上昇の結果として密封ワッシャーを破裂させることによるカプセルの意図しない開放を安全に回避すべき設計にも適している必要がある。
【０００６】
この目的は充填可能な密封キャップによって達成され、この密封キャップは容器のねじ付きコネクタにねじ込み可能または取り付け可能であり、カプセルを空にするための押しボタンを有し、このカプセルは前記押しボタンの下に形成され、底部が開いており、密封ワッシャーで密閉可能であり、この密封キャップを備えた容器に落下し得る物質を受け入れるための、円周方向のカプセル壁およびカプセル蓋を有し、カプセル蓋の外側に、カプセル蓋を変形させながら押し下げるための中央押しボタンが形成され、この密封キャップは、請求項１の特徴的な機能によって特徴付けられる。
【０００７】
図において、密封キャップの例示的な実施形態が示され、それは以下に詳細に説明され、その動作モードが説明される。
【図面の簡単な説明】
【０００８】
【図１】押しボタンが押し下げられる前の、直径断面の密封キャップを示す図である。
【図２】平面図での密封ワッシャーを示す図である。
【図３】図２による密封ワッシャーを直径断面で示す図である。
【図４】細かい点または切れ目の形の弱化線によって３つの等しい円セグメントに分割されたさらなる密封ワッシャーを示す図である。
【図５】細かい点または切れ目の形の弱化線によって４つの等しい円セグメントに分割されたさらなる密封ワッシャーを示す図である。
【図６】一方では細かい点または切れ目の形をした星型の弱化線を備え、他方では、そのような弱化線が３箇所で中断しながら円周の周りに配置されている、密封ワッシャーを示す図である。
【図７】密封ワッシャーなしの、斜め下からの角度の密封キャップを示す図である。
【図８】密封ワッシャーがその上に密封されている、図７による密封キャップを斜め下から示す図である。
【図９】プレテンション時および密封ワッシャーの細かい点または切れ目の形の弱化線が破裂する直前の、直径断面の密封キャップを示す図である。
【図１０】細かい点または切れ目の形の弱化線が破裂し、広がり脚を介して密封ワッシャーセグメントが旋回した後の時点での、直径断面の密封キャップを示す図である。
【図１１】密封キャップがガス放出飲料を含む容器またはボトルに適するように、取り付けられた密封フィルムの支持体としても機能するスタンプを備えた密封キャップを示す図である。
【図１２】ガス放出飲料の入った容器またはボトルに適している、図１１による密封キャップ用の密封ワッシャーを示す図である。
【図１３】密封キャップがガス放出飲料を含む容器またはボトルに適するように、取り付けられた密封フィルムの支持体としても機能するスタンプのさらなる変形を備えた密封キャップを示す図である。
【図１４】斜め下から見た直径断面の密封ワッシャーを示す図である。
【図１５】図１４による密封ワッシャーを、斜め上から見た直径断面でも示す図である。
【発明を実施するための形態】
【０００９】
最初に尋ねるべき質問は、このような密封キャップを使用して、最小限の労力で最も簡単で安全な方法で内部カプセルを開放するには何が必要かということである。プッシャー付きのクロージャでクロージャ内の空洞を開くには、消費者にとっての使いやすさの高さが決定的な基準である。プッシャーまたは押しボタンを押し下げるには力が必要であり、カプセルを開くには追加の力が必要であり、この力はカプセルを閉じている方法に応じる。カプセルはしばしば密封フィルムで閉じられているが、これは丈夫で、それらに穴を開けてから、密封フォイルが回転して通路から可能な限り完全に出るように開けるには多大な労力を必要とする。ただし、必要な総力は可能な限り小さくする必要がある。これを可能にするためには、他の方法では必要となる力のピークを弱めるために、様々な力を段階的に適用する必要がある。
【００１０】
図１に示す解決策には、これらの利点がある。密封キャップ１は、めねじ１６を備え、その内部に、密封キャップ１のキャップ蓋２０から下向きに突出する管状ノズル１７を形成する。密封キャップ１がねじ付きコネクタにねじ込まれる代わりに、例えば、押し付けられるか、溶接されるか、または接着されるなどの異なる方法で、密封キャップ１がノズルに配置される変形を実施することもできる。次に、カプセル１８がこのノズル１７内に形成され、その内壁でノズル１７に一体的に接続される。カプセル壁２５は、キャップ１８の中心に向かってわずかに上向きに傾斜して延び、次いで、カプセル蓋６に合流する。これは、半径方向から見たときに波形になるように設計されている。中央では、カプセル蓋６は中央の押しボタン２を形成する。その下で、スタンプ７は、密封キャップ１の回転軸２１に沿って軸方向に下向きに延びる。
【００１１】
押しボタン２は、転覆カップ９へとある程度先細になっており、その壁は、下方向に外側に向かってわずかに傾斜している。広がり脚８は、このカップ９の壁のくぼみ１５によって形成され、これは、番号２６によって示されるように、弾性的に柔軟で外側に湾曲する薄くなった端部領域へと底部に向かって先細になっている。カプセル１８の下端には、密封ワッシャー３が溶接または接着または密封されたショルダーが形成されている。この密封ワッシャー３は、充填されたカプセルの内容物を落下させるために、効率的かつ安全に開く必要がある。そのための特別な機能として、スタンプ７は、押しボタン２から軸方向に下向きに、ほぼ密封ワッシャー３まで延びる。その周りに配置された広がり脚８もまた、ワッシャー３にほぼ接触している。
【００１２】
図１に示すように、上部では、押しボタン２のプッシャー表面２４は、指先が理想的にその中に配置され得るように、しっかりと凹状に形作られている。プッシャー表面２４のこの凹状形状の結果として、プッシャー表面２４の円周方向の縁部は、鋭角の縁部１４に向かって先細になっている。これにより、この密封キャップ１を操作する人は、押しボタン２に指を正しく置き、軸方向に押し下げることができる。カプセル蓋６は、図１に明確に見られるように、半径方向の中心から見たときに波形になるように設計されている。まず第一に、最初に中央の押しボタン２の第１の領域１０に、全周の波トラフ１２があり、波頂部１３がそれに続く。この領域１０では、カプセル蓋６の壁厚は薄くなるように設計されている。この領域１０の後に外側に向かって領域１１が続き、これは再び波トラフ４で始まるが、これはより厚い壁厚で作られ、別のそのような波頂部５に流れ込み、最終的に、さらに厚くなるように設計されているカプセル１８の壁２５の円周側に合流する。したがって、カプセル蓋６の外側領域１１は、より厚く、したがって、内側領域１０よりも強くなるように設計されており、カプセル壁２５は、さらに厚くなるように寸法が決められている。カプセル蓋６の波状構成の結果として、これは、押しボタン２が下向きに押されたときに屈曲することができる。
【００１３】
したがって、図１に示すように、押しボタン２を上から指で押すと、カプセル蓋６の厚い領域１１はその位置でほとんど変化しないが、カプセル蓋６は、最初に領域１０で屈曲によって変形する。押しボタン２が押されると、スタンプ７は、下に延びた密封ワッシャー３を押し、最初にそれをプレテンションする。同時に、広がり脚８も密封ワッシャー３に押し付けられており、それらの弾性のために、それらの端部２６は外側に移動する、すなわち、広がり脚８の端部２６は、ある程度、それらの脚を密封ワッシャー３上で半径方向に外側に少しスライドする。押しボタン２を軸方向にさらに押し下げると、カプセル蓋６の外側領域１１も屈曲し、スタンプ７をさらに押し下げると、最終的に密封ワッシャー３が破裂する。その間、広がり脚８の足は、密封ワッシャー３の円周領域に向かってさらにスライドし、押しボタン２を押す最終段階で、これらの広がり脚８は、それらの端部２６で破裂密封ワッシャー３を押し下げて剪断する。それによりそれらのそれぞれの形成されたセグメントが下向きに折りたたまれ、その後、広がり脚８によってこの下向きに枢支された位置に保持される。
【００１４】
図２は、可能な密封ワッシャー３を示しており、ここでは、特別な特徴として、密封ワッシャー３の円周の周りにほぼ完全に延びる弱化線３９を有し、これは、密封ワッシャー３は無傷のまま、直径方向に対向する２つの領域３２、３３を有する細かい点または切れ目の形態で実装される。その細かい点または切れ目を有する弱化線３９は、直径を通るＳ字形の線によって円周領域からさらに延びる。この弱化線３９に沿って、密封ワッシャー３は、十分な圧力があるときに、スタンプ７および広がり脚端部２６によって開かれる。この密封ワッシャー３のために、２つの広がり脚８が、直径方向にオフセットされた方法で、密封キャップ１上のスタンプ７の周りに設けられている。言及された２つの無傷の領域３２、３３は、ここでは図の上下に残っている。これらの材料ブリッジの周りで、密封ワッシャー３の２つの露出したフラップは、最後に広がり脚８によって下向きに９０°回転する。広がり脚の足２６は、これら２つの材料ブリッジに載り、フラップを押し下げ、領域３２、３３はヒンジとして機能する。
【００１５】
図３は、この密封ワッシャー３を直径断面で示している。細い点または切れ目の形の弱化線３９は、ここで鈍角で下向きのノッチ１９によって生成される。もちろん、ノッチの断面は、鋭角から半円形までの他の形状を有することができるので、特定の点で、密封ワッシャー３の最も薄い壁厚が生成され、そこで最終的に破裂する。
【００１６】
図４は、密封ワッシャー３を３つの等しいサイズの円セグメント２２に分割する細かい点または切れ目の形の弱化線３９を備えた密封ワッシャー３を示している。このような密封ワッシャー３を開くために、周囲に分布する３つの広がり脚８が密封キャップ１上に設けられている。広がり脚８の足２６は、密封ワッシャー３が３つの放射状弱化線に沿って破裂し、したがって３つの円セグメントタブが垂れ下がった後、これらの３つの円セグメントの円周の中央の縁部領域、すなわち示された３つの円セグメント上の圧力点２３を押し込み、次に、円セグメント２２は、それぞれ１つの割線に沿って下向きに旋回し、この位置に保持される。
【００１７】
図５は、密封ワッシャー３を４つの等しいサイズの円セグメント２２に分割する細かい点または切れ目の形の弱化線３９を備えた密封ワッシャー３を示している。このような密封ワッシャー３を開くために、周囲に分布する４つの広がり脚８が密封キャップ１上に設けられている。広がり脚８の足２６は、密封ワッシャー３が４つの放射状弱化線３９に沿って破裂し、したがって４つの円セグメントタブが垂れ下がった後、これらの４つの円セグメント２２の円周の中央の縁部領域、すなわち示された４つの円セグメント上の圧力点２３を押し込み、次に、円セグメント２２は、それぞれ１つの割線に沿って下向きに旋回し、この位置に保持される。
【００１８】
図６は、細かい点または切れ目の形の弱化線３０、３１の代替配置を備えた密封ワッシャー３を示している。３つの放射状部を有する星形のコースに加えて、円周線３０はまた、それらの外端で弱められ、３つの領域は、後の圧力点２３として何もされない。次に、広がり脚８は、何もされなかったこれらの領域または圧力点２３を脚２６で押し、それぞれの１２０°の円セグメントを下向きに旋回させる。右の図７は、中央のスタンプ７を備えた３つの広がり脚８の配置を示している。広がり脚８は、ここでは完全に正しく示されておらず、実際、それらは外側に曲げられており、それらの端部領域は、足２６のように弾性的に曲げることができる。図８に、この密封キャップを密封された密封ワッシャー３と一緒に示す。
【００１９】
図９は、スタンプ７および広がり脚８がどのように機能するかについてのさらなる情報を提供するために、密封キャップを通る直径断面を示している。示されているスナップショットでは、スタンプ７はすでに密封ワッシャー３を押して広げている。つまり、特定のプレテンションの下に置いている。図１０には、さらに押し下げられたスタンプ７が密封ワッシャー３をその弱化線３９に沿って、すなわち細かい点または切れ目に沿って破裂またはひび割れさせた後の次の状態が示されている。これで、３つの１２０°の円セグメントが緩く下向きに突出している。押しボタン２がさらに押されると、これらは、それぞれ、取り付けられた広がり脚の端部２６の位置にある割線によって、広がり脚８によって下向きに回転される。次に、広がり脚８は半径方向に外向きに湾曲し、それらの足または端部２６は、密封ワッシャー３の縁部領域でそれぞれの円セグメントと接触している。
【００２０】
ガス放出飲料が入っているボトルは、炭酸飲料が含まれている場合、そのような密封キャップに特定の課題を提示する。このようなボトルでは、ガス圧は充填後、それ以上のガス放出を防ぐレベルに達するまで上昇する。しかしながら、増加した圧力の下で、ガスは、密封ワッシャー３を下から押して、その内側または上側が密封キャップ１のスタンプ７に押し付けられる。個々の場合において、これは、それに作用する負荷の下で密封ワッシャー３が破裂し、カプセル１８内の内容物が時期尚早にそして意図せずにボトルに落下することにつながる可能性がある。以下に、ガス放出飲料を含むボトルにも適しており、完全なガス放出後でも、上のスタンプに対する下からの強い圧力の結果として、密封ワッシャーがこの圧力に耐えることができ、ボタンを押すだけでカプセルを依然として安全に開くことができることを保証する密封キャップの実施形態を提示する。
【００２１】
この目的のために、まずはスタンプ３の特別な実施形態が重要である。図１１には、下から見た密封キャップ１が示され、カプセル１８内に中央スタンプ３があり、ここでは、断面が星を形成し、３つの半径方向外向きに延びる翼２７を有する。したがって、スタンプ３が作用するのは密封ワッシャーの中央だけではない。むしろ、ボトル内の圧力により密封ワッシャーが下からスタンプに押し付けられると、密封ワッシャーは、ここに見えるスタンプ３の端面２８全体、すなわち、ある領域にわたって支持される。なぜなら翼２７は中心から半径方向外向きに延びるので、密封ワッシャーもこれらの放射状翼２７上で支持され、細かい点または切れ目の形で存在するその弱化線に沿った破裂を確実に回避することができるからである。翼２７の間に、ここでは広がり脚８が配置され、これは、閉鎖ワッシャーの破裂または破壊後に、ワッシャー複合体から取り外されたワッシャー部品を確実に折りたたむ機能を引き継ぐ。
【００２２】
密封ワッシャー３を壊して開き、次に密封ワッシャー部品を折りたたむという全体的に信頼できる安全な機能のために、特別に設計された密封ワッシャーが必要であることが証明されている。このような密封ワッシャー３を図１２に示す。これは、貫通切れ目２９〜３１を備えたプラスチックワッシャーで構成されている。第１の切れ目２９は、密封ワッシャー３のほぼ全直径にわたって直径方向に延び、ワッシャーの縁部領域を無傷のままにする。さらに２つの貫通切れ目３０、３１は、密封ワッシャー３の縁部領域の円周に沿って弧状に延び、一方は他方から距離を置いて、それらの間、すなわち２つのアーチの両端の間で、密封ワッシャーは無傷で残り、そこには材料ブリッジが形成されており、下で明らかとなるように、それぞれがヒンジ３２、３３として機能する。直径方向に延びる切れ目２９は、その２つの端部が２つの弧状切れ目３０、３１の中央で開くように配置されている。したがって、２つの半円セグメント３４、３５が形成される。そのような密封ワッシャー３は、その一方の下側にバリア層３６を備えており、その結果、水蒸気または酸素に対する、または様々な芳香に対するバリアが形成される。そのようなバリア層は、例えば、厚さ約０．２ｍｍのアルミニウム層からなり、コンタクトフォイル、接着剤またはＰＥを使用して接着される。その外側には、プラスチック製の薄い保護層があり、この保護層は蒸着またはスプレーで吹き付けることができる。最終的に、このコーティングは、バリアフォイルとして機能することを目的としたコーティングされたアルミホイルである。完成した密封ワッシャーは、最終的に、誘導溶接プロセス（ねじり溶接）によって密封キャップのビード縁部に密封される。
【００２３】
機能的な観点から、この密封キャップは次のように機能する。第１に、密封ワッシャー３には、ボトル内に作用する内圧の結果として、密封キャップ１のスタンプ３に押し付けられるときにバイアスがかかる。炭酸飲料のガス放出の結果としてボトル内の内圧が最大に上昇した場合でも、カプセルをしっかりと密閉し、それ以上のガス放出を防ぐ。密封キャップ１に組み込まれたカプセル１８を対象とする開放については、カプセル１８の側に形成された押しボタン２を押すことによって、カプセル１８を上から押し下げる。このようにして、スタンプ７がカプセル１８の内側に押し下げられ、最後に、これにより、密封ワッシャーまたはその酸素を通さないコーティングもしくは保護フィルムが、直径方向の切れ目２９に沿って破裂する。コーティングが弧状切れ目３０、３１に沿って裂けてすぐに、押しボタン２およびスタンプ７がさらに押し下げられると、スタンプ７は、密封ワッシャー３の２つの半円セグメント３４、３５を下向きに押して、ヒンジとして機能する材料ブリッジ３２、３３の周りで半円セグメント３４、３５が下向きに旋回する。したがって、カプセルの内容物がボトルに落ちる。
【００２４】
図１３は、スタンプ７のさらなる可能な設計を示している。これはまた、半径方向に突出する翼２７、すなわち、それらのそれぞれの間で７２°（５×７２°＝３６０°）の等しい角度を有する５つの翼２７を有する。これらの翼２７のうちの２つは、一方の側に１４４°の角度を含み、続いて他方の側に２１６°の角度（１４４°＋２１６°＝３６０°）を含み、下からほぼ全高にわたってくぼみ３７を備えている。その結果、広がり脚８はその外側領域に形成される。この実施形態はまた、押し付けられた密封ワッシャーの２次元支持のためにスタンプの２次元端が形成されるので機能し、それにもかかわらず、スタンプは、記載されるように密封ワッシャーのコーティングを押し下げることによってそれを壊して開くことができ、そして密封ワッシャーセグメントを離すように旋回させることができ、端部の２つの広がり脚８は、密封ワッシャーの円セグメントが外側に旋回することによって完全に下方に旋回することを確実にする。
【００２５】
図１４は、直径断面に沿った密封ワッシャーの半分を示している。この図は、ボトルの内容物に面する密封ワッシャー３の下側、すなわち、酸素を通さないバリアとして機能するコーティング３６の図である。上側には、ここでは直径に向かって開いている円周方向の切れ目３０、３１を備えたプラスチックワッシャーが見える。図１５は、斜め上から見た密封ワッシャー３を示している。密封ワッシャー３の縁部は、外側の円形縁部または切れ目２９〜３１の縁部のどちらであるかに関係なく、それらの高さにわたってくさび形に先細になり、中央で縁部３８に向かって先細になっている。
【００２６】
そこで、本発明の目的を達成し、そのような密封キャップの良好な機能を確実にするために、どの特徴が特に重要であるかわかるだろうか？
【００２７】
１．鋭い縁部１４を備えた凹状のフィンガーサポートが必要であり、これは、クロージャの中心軸２１にあるフィンガーサポートを直感的に誘発する。
【００２８】
２．押しボタン２は、真っ直ぐ、垂直、または軸方向に下向きに押すことを確実にするように、示され説明されているように設計されなければならない。
【００２９】
３．押しボタン２は、同心の隣接する波の中心に保持され、したがって、密封ワッシャー３を破裂させ、続いて折りたたむための力が、切り離されたセグメントの円周に沿って単一の高い力のピークを生成しないように、２段階で押し下げることができる。
【００３０】
４．カプセル蓋６の中心からの第１の波形領域１０の壁厚は、外側でそれと隣接する波形領域１１の壁厚よりも薄くなるように設計され、その結果、最初は第１のカプセル蓋領域のみが押し下げの第１の段階で屈曲する。
【００３１】
５．隣接する第２の領域１１の壁厚はより厚く、したがって、押しボタン２が押されたときにより多くの抵抗を提供する。
【００３２】
６．閉鎖ワッシャー３に作用する広がり脚８は、横方向、すなわち半径方向外側に動くことができ、その結果、底部が丸い広がり脚８の端部２６は、閉鎖ワッシャー３に当たると半径方向外側にスライドし、最後に密封ワッシャー３の周縁部にできるだけ近い下向きの圧力をかける。
【００３３】
７．細かい点または切れ目の形の弱化ノッチまたは弱化線３９は、スタンプ７および広がり脚８の圧力の結果として、すなわち標的弱化線３９に沿って密封ワッシャー３が破裂し、所望の場所で開くことを確実にする。
【００３４】
８．酸素を通さないカプセルの場合、密封ワッシャー３は切れ目を備えて設計されており、密封ワッシャー３には、切れ目を覆うコーティング３６が完全に設けられている。密封ワッシャー部品を離すように旋回させるために、コーティング３６は最初に破裂しなければならない。
【符号の説明】
【００３５】
１  密封キャップ
２  押しボタン
３  密封ワッシャー
４  外側領域１１の波トラフ
５  外側領域１１の波頂部
６  カプセル蓋
７  スタンプ
８  広がり脚
９  押しボタン２へのカップ型接続
１０  波形のカプセル蓋の内側領域
１１  波形のカプセル蓋の外側領域
１２  内側領域１０の内側波トラフ
１３  内側領域１０で１２に隣接している波頂部
１４  プッシャー表面の鋭い縁部
１５  カップのくぼみ
１６  密封キャップのめねじ
１７  下向きのインナーパイプソケット
１８  カプセル
１９  密封ワッシャーのノッチ
２０  密封キャップ蓋
２１  密封キャップの回転軸
２２  円セグメント
２３  圧力点
２４  プッシャー表面
２５  カプセル壁
２６  広がり脚８の端部
２７  スタンプ７の放射状翼
２８  スタンプの２次元端面
２９  密封ワッシャーの直径方向の切れ目
３０  密封ワッシャーの弧状切れ目
３１  密封ワッシャーの放射状切れ目
３２  ヒンジとして機能する第１の材料ブリッジ
３３  ヒンジとして機能する第２の材料ブリッジ
３４  第１の半円セグメント
３５  第２の半円セグメント
３６  コーティング−酸素を通さないバリア
３７  放射状翼のくぼみ
３８  切れ目壁の突出縁部３８
３９  弱化線
【図１】
2022501278.tif 000003
【図２】
2022501278.tif 000004
【図３】
2022501278.tif 000005
【図４】
2022501278.tif 000006
【図５】
2022501278.tif 000007
【図６】
2022501278.tif 000008
【図７】
2022501278.tif 000009
【図８】
2022501278.tif 000010
【図９】
2022501278.tif 000011
【図１０】
2022501278.tif 000012
【図１１】
2022501278.tif 000013
【図１２】
2022501278.tif 000014
【図１３】
2022501278.tif 000015
【図１４】
2022501278.tif 000016
【図１５】
2022501278.tif 000017
【国際調査報告】
2022501278.tif 000018
2022501278.tif 000019
2022501278.tif 000020
2022501278.tif 000021